(57)【要約】【課題】複数のスクリーンパターンに対して簡便に対応でき、出力画像の画質を良好にすることが可能な光走査装置および画像形成装置を提供する。【解決手段】互いに異なる第１及び第２のスクリーンパターンに応じて第１及び第２の光束を射出する光源手段と、前記第１及び第２の光束を偏向して第１及び第２の被走査面を光走査する偏向器と、該偏向器により偏向された前記第１及び第２の光束を集光して前記第１及び第２の被走査面の夫々に第１及び第２のスポットを形成する第１及び第２の結像光学系と、を備え、前記第１及び第２のスポットの形状は、前記第１及び第２のスクリーンパターンに応じた互いに異なる形状である。【選択図】図２
2016151590.tif 000002
【特許請求の範囲】
【請求項１】
互いに異なる第１及び第２のスクリーンパターンに応じて第１及び第２の光束を射出する光源手段と、
前記第１及び第２の光束を偏向して第１及び第２の被走査面を光走査する偏向器と、
該偏向器により偏向された前記第１及び第２の光束を集光して前記第１及び第２の被走査面の夫々に第１及び第２のスポットを形成する第１及び第２の結像光学系と、
を備え、
前記第１及び第２のスポットの形状は、前記第１及び第２のスクリーンパターンに応じた互いに異なる形状であることを特徴とする光走査装置。
【請求項２】
前記光源手段から出射した前記第１及び第２の光束の夫々が通過する第１及び第２の開口絞りを備え、
該第１及び第２の開口絞りの夫々には、前記第１及び第２のスクリーンパターンに応じた互いに異なる形状の開口が設けられていることを特徴とする請求項１に記載の光走査装置。
【請求項３】
前記第１及び第２のスクリーンパターンは、互いに異なる色に対応することを特徴とする請求項１又は２に記載の光走査装置。
【請求項４】
前記第１及び第２のスクリーンパターンは、互いに傾き方向または線数が異なる形状であることを特徴とする請求項１乃至３のいずれか１項に記載の光走査装置。
【請求項５】
前記第１及び第２のスクリーンパターンは、互いに線数が同じで傾き方向が異なり、
前記第１及び第２の開口絞りの開口は前記傾き方向に絞り込む形状であることを特徴とする請求項４に記載の光走査装置。
【請求項６】
前記第１及び第２の被走査面における前記スポットは、前記傾き方向を長軸とする楕円形状であることを特徴とする請求項５に記載の光走査装置。
【請求項７】
前記第１及び第２のスクリーンパターンは、互いに傾き方向が同じで線数が異なり、
前記第１及び第２の開口絞りの開口は前記傾き方向に絞り込む形状であり、前記線数が少ない程より多く絞り込むことを特徴とする請求項４乃至６のいずれか１項に記載の光走査装置。
【請求項８】
前記第１及び第２の被走査面における前記スポットは、前記線数が少ない方が径が大きい近似的な円形状であることを特徴とする請求項７に記載の光走査装置。
【請求項９】
前記第１及び第２のスクリーンパターンは、互いに線数および傾き方向が異なり、
前記第１及び第２の開口絞りの開口は前記傾き方向に絞り込む形状であることを特徴とする請求項４乃至６のいずれか１項に記載の光走査装置。
【請求項１０】
前記第１及び第２の被走査面における前記スポットは、前記線数が少ない方が径が大きい、前記傾き方向を長軸とする楕円形状であることを特徴とする請求項９に記載の光走査装置。
【請求項１１】
前記第１及び第２のスクリーンパターンの傾き方向に対する、前記第１、第２の被走査面に形成されるそれぞれのスポットの楕円形状または長方形形状の長軸方向または長手方向の角度が２５度以内であることを特徴とする請求項５、６、９、１０のいずれか１項に記載の光走査装置。
【請求項１２】
前記第１及び第２の結像光学系において、主走査方向の結像倍率をβ１、γ１、副走査の結像倍率をβ２、γ２とするとき、
０．８  ≦（β１／β２）  ≦  １．２
０．８  ≦（γ１／γ２）  ≦  １．２
を満たすことを特徴とする請求項１乃至１１のいずれか１項に記載の光走査装置。
【請求項１３】
前記第１及び第２のスクリーンパターンはラインパターンであることを特徴とする請求項１乃至１２のいずれか１項に記載の光走査装置。
【請求項１４】
スクリーンパターンに応じて光束を射出する光源手段と、
前記光束を偏向して被走査面を光走査する偏向器と、
該偏向器により偏向された前記光束を集光して前記被走査面にスポットを形成する結像光学系と、
を備え、
前記スポットの形状は、前記スクリーンパターンに応じた形状であることを特徴とする光走査装置。
【請求項１５】
前記スクリーンパターンは傾きが変更可能であり、前記スポットの形状は前記傾き方向を長軸方向もしくは長手方向とする楕円形状もしくは長方形形状であることを特徴とする請求項１４に記載の光走査装置。
【請求項１６】
前記スクリーンパターンは線数が変更可能であり、前記スポットの形状は前記線数が少ない方が径が大きい近似的な円形状であることを特徴とする請求項１４に記載の光走査装置。
【請求項１７】
前記スクリーンパターンは傾き方向および線数が変更可能であり、前記スポットの形状は前記線数が少ない方が径が大きい、前記傾き方向を長軸とする楕円形状であることを特徴とする請求項１４に記載の光走査装置。
【請求項１８】
請求項１乃至１７のいずれか１項に記載の光走査装置と、該光走査装置により被走査面上に形成された静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項１９】
請求項１乃至１７のいずれか１項に記載の光走査装置と、外部機器から出力されたコードデータを画像信号に変換して前記光走査装置に入力するプリンタコントローラと、を備えることを特徴とする画像形成装置。
【発明の詳細な説明】
【技術分野】
【０００１】
本発明は、光走査装置および画像形成装置に関し、レーザープリンター、ファクシミリ、複写機等の画像形成装置に好適なものである。
【背景技術】
【０００２】
従来レーザープリンター等の画像形成装置内には、レーザー光源を感光体ドラム面上に結像させるための光学系を搭載しているレーザースキャナが内蔵されている。このレーザースキャナ内からのレーザービームが帯電された感光体ドラムに照射された時に、感光体ドラム面上での電位が低下する。そうすることで、露光部と非露光部の分布がドラム面上に形成され、一般的に潜像と呼ばれる静電電位分布が形成される。
【０００３】
しかしながら、感光体ドラム面上の潜像に関し、スポットが感光体ドラム面上を走査するときに露光部が本来の大きさに対して広がってしまうことで、非露光部の電位も露光部の広がりにより低下してしまう問題があった。この場合、最終的な出力物である印刷物の画質が劣化してしまう。
【０００４】
このような問題を解決するために、感光体ドラム面上に書き込まれるレーザーのスポットを小径化することや、感光体ドラム上で書きこまれるスポット同士の隙間（隣接スポット間の空白）を埋めるという技術が知られている。
【０００５】
特許文献１では、スポットの小径化を図るために、書き込み用の光源として従来の赤または赤外のレーザー光源に替えて青色半導体レーザーを使用することが開示されている。また、特許文献１では、階調性の改善を図るために、光走査装置内の入射光学系におけるコリメーターレンズとシリンドリカルレンズの間の焦点調整レンズを光軸方向に調整することで、スポット径の調整を行うことが開示されている。
【０００６】
また、特許文献２では、菱形の開口を光走査装置内の入射光学系に搭載することで、感光体ドラム面上でのスポット形状を対角方向に強度分布が広がる形状とし、偏向走査によるスポット同士の隙間を解消することが開示されている。
【０００７】
また、特許文献３では、近年のカラー画像形成装置において、中間階調表現に様々な種類のスクリーン角や線数を用いることが開示されている。更に、特許文献４では、スクリーン処理を用いたハーフトーン画像形成の場合、そのスクリーンの線数、角度に応じた周期的な網点パターンで中間諧調を表現することが開示されている。
【先行技術文献】
【特許文献】
【０００８】
【特許文献１】特開２００３−２８５４６６号公報
【特許文献２】特開２００２−２８７０６７号公報
【特許文献３】特開２００８−１５１８４７号公報
【特許文献４】特開２００９−２７１３７７号公報
【発明の概要】
【発明が解決しようとする課題】
【０００９】
しかしながら、特許文献１では、小スポット化を実現するにあたり、青色半導体レーザー及び焦点調整レンズ用のモーターを使用するため、光走査装置自体の製造費が高価になるという課題がある。加えて、焦点調整レンズの移動による感光体ドラム面上のスポット形状に収差が生じる場合があり、所望のスポットを再現することができず印字画質劣化を招く可能性があるという課題がある。
【００１０】
また、特許文献２では、菱形の開口形状により形成されるスポットで感光体ドラム面上を露光するために、様々なスクリーンパターンに対応できず、画像の粒状性が劣化する場合が存在してしまうという課題がある。
【００１１】
本発明の目的は、複数のスクリーンパターンに対して簡便に対応でき、出力画像の画質を良好にすることが可能な光走査装置および画像形成装置を提供することにある。
【課題を解決するための手段】
【００１２】
上記目的を達成するために、本発明に係る光走査装置は、互いに異なる第１及び第２のスクリーンパターンに応じて第１及び第２の光束を射出する光源手段と、前記第１及び第２の光束を偏向して第１及び第２の被走査面を光走査する偏向器と、該偏向器により偏向された前記第１及び第２の光束を集光して前記第１及び第２の被走査面の夫々に第１及び第２のスポットを形成する第１及び第２の結像光学系と、を備え、前記第１及び第２のスポットの形状は、前記第１及び第２のスクリーンパターンに応じた互いに異なる形状であることを特徴とする。
【００１３】
また、本発明に係る別の光走査装置は、スクリーンパターンに応じて光束を射出する光源手段と、前記光束を偏向して被走査面を光走査する偏向器と、該偏向器により偏向された前記光束を集光して前記被走査面にスポットを形成する結像光学系と、を備え、前記スポットの形状は、前記スクリーンパターンに応じた形状であることを特徴とする。
【００１４】
また、本発明に係る画像形成装置は、上記光走査装置を有することを特徴とする。
【発明の効果】
【００１５】
本発明によれば、様々なスクリーンパターンに対して簡便に対応でき、最終的な出力物である印刷物の画質を良好にすることが可能な光走査装置および画像形成装置を提供することができる。
【図面の簡単な説明】
【００１６】
【図１】本発明の実施形態に係る光走査装置を搭載した画像形成装置を示す概略図である。
【図２】本発明の実施形態に係るブラックステーションに係る光走査装置を示す概略図である。
【図３】本発明の実施形態に係るスクリーンパターンの説明図である。
【図４】スクリーン平面（Ｈ−Ｖ平面）の定義に関する図である。
【図５】レーザービームの走査による露光拡大部を説明する模式図である。
【図６】スクリーンパターンに最適なスポット形状を説明する図である。
【図７】主走査方向／副走査方向で結像光学系の結像倍率が異なるときの入射瞳形状の違いを説明する図である。
【図８】スポット形状ごとでの入射瞳形状の違いと、楕円率を説明する図である。
【図９】スポットの長軸、短軸の比率ごとでのスポットの回転角と結像倍率比を説明する図である。
【図１０】第１の実施形態に対応したスクリーンパターン、スポット形状、開口形状に関する説明図である。
【図１１】４０μｍと６０μｍでのピントずれによるスポット径の違いを説明する図である。
【図１２】線数ごとでのスポットの大きさに対する印字画質指標の値を説明する図である。
【図１３】第２の実施形態に対応したスクリーンパターン、スポット形状、開口形状に関する説明図である。
【図１４】第３の実施形態に対応したスクリーンパターン、スポット形状、開口形状に関する説明図である。
【図１５】（ａ）（ｂ）は第１、第２の結像光学系を備える光走査装置の主走査断面図、副走査断面図である。
【図１６】第１、第２の入射光学系に関する副走査断面図である。
【発明を実施するための形態】
【００１７】
以下に、本発明の好ましい実施形態を添付の図面に基づいて詳細に説明する。
【００１８】
《第１の実施形態》
（画像形成装置）
本発明の実施形態に係る光走査装置を搭載した画像形成装置として、光走査装置を４個並べ各々並行して像担持体である感光ドラム面上に画像情報を記録するタンデムタイプのカラー画像形成装置を説明する。図１において、６０はカラー画像形成装置、２１、２２、２３、２４は各々光走査装置、２０８ａ、２０８ｂ、２０８ｃ、２０８ｄは各々像担持体としての感光ドラム、３１、３２、３３、３４は各々現像器、５１は搬送ベルトである。
【００１９】
図において、カラー画像形成装置６０には、パーソナルコンピュータ等の外部機器５２からＲ（レッド）、Ｇ（グリーン）、Ｂ（ブルー）の各色信号が入力する。コードデータであるこれらの色信号は、装置内のプリンタコントローラ５３によって、Ｃ（シアン）、Ｍ（マゼンタ）、Ｙ（イエロー）、Ｂｋ（ブラック）の各画像パターン（スクリーンパターン）に変換される。これらの画像データは、それぞれ光走査装置２１、２２、２３、２４に入力される。
【００２０】
これらの光走査装置からは、各画像データに応じて変調された光ビーム４１、４２、４３、４４が出射される。そして、これらの光ビームによって、感光体ドラム２０８ａ、２０８ｂ、２０８ｃ、２０８ｄの感光ドラム面（被走査面）１０ａ、１０ｂ、１０ｃ、１０ｄが主走査方向に走査される。
【００２１】
本実施態様におけるカラー画像形成装置は、光走査装置を４個（２１乃至２４）並べ、各々がＣ（シアン）、Ｍ（マゼンタ）、Ｙ（イエロー）、Ｂｋ（ブラック）の各色に対応させる。そして、各々平行して感光ドラム面１０ａ、１０ｂ、１０ｃ、１０ｄ上に画像信号（画像情報）を記録し、カラー画像を高速に印字するものである。
【００２２】
本実施態様におけるカラー画像形成装置は、上述の如く４つの光走査装置２１乃至２４により各々の画像データに基づいた光ビームを用いて各色の潜像を各々対応する感光ドラム面上に形成している。感光体ドラム面上での潜像形成のプロセスは以下の通りである。
【００２３】
即ち、感光体ドラムは、光ビームが照射される前は一様に電圧が印加され帯電している。光ビームが、一様帯電された感光体ドラム面上を照射することにより、照射部のみの電圧が低下する（照射分布に伴い電位分布が形成される）。この感光体ドラム面上での照射分布形成による電圧分布を、静電潜像（潜像）と称している。その後、現像器で現像されたトナー像は、転写器（不図示）で被転写材としての記録材に転写される。なお、記録材に多重転写して１枚のフルカラー画像を形成している。なお、記録材に転写されたトナー像は、定着器（不図示）で定着される。
【００２４】
本実施形態では、後に詳述するように、シアン、マゼンタ、イエロー、ブラック以外の色や濃度を実現するために、紙面上で異なる角度や線数をもったスクリーンパターン（ラインスクリーン）を重ね合わせて上記以外の色を表現している。即ち、このような、スクリーンパターンを重ね合わせることで、1枚のフルカラー画像を形成している。ここで、スクリーンパターンの重ね合わせにより生じるモアレを防止するために、色ごとでパターンを変えている。
【００２５】
なお、上述した外部機器５２としては、例えばＣＣＤセンサを備えたカラー画像読取装置が用いられても良い。この場合には、このカラー画像読取装置と、カラー画像形成装置６０とで、カラーデジタル複写機が構成される。
（光走査装置）
図１５（ａ）は、本発明の第１の実施形態に係る光走査装置の主走査方向の要部断面図（主走査断面図）、図１５（ｂ）は副走査方向の要部断面図（副走査断面図）である。図１６は、本発明の第１の実施形態の入射光学系の要部断面図（副走査断面図）である。図１５（ａ）、図１５（ｂ）、図１６において、各光源１ａ、１ｂ、１ｃ、１ｄからそれぞれ被走査面上１０ａ、１０ｂ、１０ｃ、１０ｄに向かう光路を、光路ａ、光路ｂ、光路ｃ、光路ｄとする。これら各光路の構成および光学的作用は全て同じであり、図１５（ａ）、図１５（ｂ）、図１６において、同様の働きをしている各光路の各光学素子は同一の符号で表している。
【００２６】
（光源手段および入射光学系）
ここで、図１５（ａ）、図１５（ｂ）、図１６の各光学素子の光学的作用について述べる。図１５（ａ）、図１５（ｂ）、図１６において、１ａ、１ｂは第１の対の光源手段、１ｃ、１ｄは第２の対の光源手段であり、夫々発光部（発光点）を有する半導体レーザより成っている。２ａ、２ｂは第１の対のアパーチャー（開口絞り）、２ｃ、２ｄは第２の対のアパーチャー（開口絞り）である。また、３ａ、３ｂは第１の対のコリメータレンズ、３ｃ、３ｄは第２の対のコリメータレンズで、夫々入射する光束を所望の最適なビーム形状に形成している。
【００２７】
コリメータレンズ３ａ、３ｂ、３ｃ、３ｄに入射した光束は、平行光束に変換されて副走査方向にのみ正の屈折力を備えるシリンドリカルレンズ４に入射する。これらは、第１の対のコリメータレンズを含む第１の対の入射光学系（第１、第２の入射光学系）Ｌ１ａ、Ｌ１ｂ、第２の対のコリメータレンズを含む第２の対の入射光学系Ｌ１ｃ、Ｌ１ｄを構成する。
【００２８】
シリンドリカルレンズ４は、第１の対の入射光学系、第２の対の入射光学系に兼用され、副走査方向にのみ屈折力を有する。そして、シリンドリカルレンズ４から出射する４つの光束は、主走査断面内において平行光束、副走査断面内において偏向面６近傍で集光する収束光束として、回転多面鏡５の偏向面６へ入射する。そして、回転多面鏡５の偏向面６上で主走査方向に長手の線像として結像される。
【００２９】
なお、本実施形態では、シリンドリカルレンズ４を、各光路ａ、ｂ、ｃ、ｄに対応した４つの入射面と、４つの出射面とを一体成型した、樹脂製の４眼シリンドリカルレンズにて構成しているが、４つの個別のシリンドリカルレンズで構成しても良い。
【００３０】
偏向面を複数含む回転多面鏡５は、図中矢印Ａ方向に一定の速度で回転している。本実施形態の回転多面鏡５の数は、後述する結像光学系の数以下であり、その数は１つであり、結像光学系の数は４つである。
【００３１】
Ｍ２ａ、Ｍ２ｂ、Ｍ２ｃ、Ｍ２ｄは、それぞれ集光機能とｆθ特性とを有する４つの結像光学系であり、主走査断面内に正のパワー（屈折力）を有し、副走査断面内に主走査断面内の正のパワーとは異なる正のパワーを有している。
【００３２】
本実施形態において、結像光学系Ｍ２ａ（Ｍ２ｄ）は第１、第２の結像レンズ７１、７２、折り返しミラー８１より成っている。また、結像光学系Ｍ２ｂ（Ｍ２ｃ）は第１、第２の結像レンズ７１、７２、折り返しミラー８２、８３、８４より成っている。
【００３３】
結像光学系Ｍ２ａ、Ｍ２ｂ（Ｍ２ｃ、Ｍ２ｄ）は、回転多面鏡５で偏向走査された画像情報に基づく光束を、主走査断面内において、図１（ｂ）に示す被走査面としての感光ドラム面１０ａ、１０ｂ（１０ｃ、１０ｄ）にスポット状に結像させる。更に結像光学系Ｍ２ａ、Ｍ２ｂ（Ｍ２ｃ、Ｍ２ｄ）は、副走査断面内において回転多面鏡５の偏向面６と感光ドラム面１０ａ、１０ｂ（１０ｃ、１０ｄ）との間を光学的に共役関係にすることにより、偏向面６の面倒れ補償を行っている。
【００３４】
１０ａ、１０ｂ、１０ｃ、１０ｄは各々複数の色光の画像を形成するための感光ドラム（感光ドラム面）であり、本実施形態において、複数の色光とはイエロー（Ｙ）、マゼンダ（Ｍ）、シアン（Ｃ）、ブラック（Ｂｋ）の４色のことである。
【００３５】
（ブラックステーション）
次に、画像形成装置内の１ステーション分の光走査装置について、図２を用いて説明する。図２は、画像形成装置が有する光走査装置のブラックステーションの模式図である。その他のステーションの図は省略してある。
【００３６】
符号１は光源（半導体レーザー）、２０１はコリメーターレンズ、２は絞り開口、２０３はシリンドリカルレンズである。また、２０５は回転多面鏡（ポリゴンミラー）、２０６、２０７はそれぞれ結像走査レンズである。そして２０８は像担持体である感光体ドラムを示している。
【００３７】
次に、光走査装置内の各部品の役割について述べる。半導体レーザーを実装した光源１は、発振波長が例えば６８０ｎｍで、素子から射出された光の断面形状は光軸に垂直な方向に円形及び楕円形である。また、この光源１は、一つの光走査装置に対し１つないしは複数あっても良い。コリメーターレンズ２０１は、光源１から射出された光を略平行光にカップリングする。このコリメーターレンズ２０１は一般的には射出された光束を平行光に変換する素子であるが、略平行光として発散光でも収束光でも構わない。
【００３８】
絞り開口２は、コリメーターレンズ２０１からの射出光束を制限する（本実施形態の特徴をなしており、詳細は後述する）。シリンドリカルレンズ２０３は、副走査方向にのみ結像する線像結像光学系として機能する。一般的に、光源１からシリンドリカルレンズ２０３までの光学素子群を入射光学系と称している。
【００３９】
ポリゴンミラー２０４は、入射光学系から射出された光を像担持体（ここでは感光体ドラム）２０８に偏向走査する。感光体ドラムの長手方向（主走査方向）にレーザービームを走査するために、ポリゴンミラー２０４が回転軸２０５を中心に回転しており、ポリゴンミラー２０４の回転角に応じて感光体ドラム２０８での主走査方向に対する照射位置が変化する。
【００４０】
更に、この光走査装置には、ポリゴンミラーの射出側に感光体ドラムにレーザービームを結像させるための結像走査レンズ２０６、２０７が搭載されており、この結像走査レンズ群を走査光学系（結像光学系）と称する。この走査レンズを通過した光が、感光体ドラム面上でスポットとして集光される。
【００４１】
以上、光源から感光体ドラム面までの光走査装置内の光学部材の設計値データを表１に示す。表１に本発明の実施形態１及び２及び３における光走査装置の各数値を示す。ここで、「Ｅ−ｘ」は「１０−ｘ」を示している。また、Ｒ１面は結像走査レンズ２０６の光偏向器２０４側の面、Ｒ２面は結像走査レンズ２０６の像担持体２０８側の面、Ｒ３面は結像走査レンズ２０７の光偏向器２０４側の面、Ｒ４面は結像走査レンズ２０７の像担持体２０８側の面である。
【００４２】
また、本実施形態では、主走査方向の形状を光軸に対し、対称に構成している。つまり、走査開始側と走査終了側の非球面係数を一致させている。そして、副走査方向は光軸に対して走査開始側と走査終了側で第２結像レンズ２０７の１面の副走査面内の曲率を結像走査レンズの有効部内において連続的に変化させている。これにより、光軸に対して主走査は対称、副走査のパワー変化は主走査に方向に対して非対称に構成している。
【００４３】
【表１】
2016151590.tif 000003
【００４４】
ここで、コリメータレンズ２０１と、結像走査レンズ２０６、２０７について、以下に更に詳述する。
【００４５】
（コリメーターレンズ）
本実施形態のコリメーターレンズ２０１の出射面は、以下の数式で表される回転対象非球面形状で構成されている。
【００４６】
【数１】
2016151590.tif 000004
【００４７】
【数２】
2016151590.tif 000005
【００４８】
（結像走査レンズ）
本実施形態における第１、第２の結像走査レンズ２０６、２０７の形状は、以下の数式により表される。それぞれ結像走査レンズと光軸との交点を原点とし、図２に示すように光軸に対して走査開始側と走査終了側で、主走査断面内において光軸と直交する方向をＹ軸、副走査面内で光軸と直交する方向をＺ軸とし、以下の関数で表せる。
【数３】
2016151590.tif 000006
【００４９】
【数４】
2016151590.tif 000007
【００５０】
但し、Ｒは主走査方向曲率半径、Ｋ、Ｂ４、Ｂ６、Ｂ８、Ｂ１０は非球面係数であり、非球面係数Ｂのサフィックスs、とeは走査開始側と走査終了側をそれぞれ表す。副走査方向の形状は光軸に対して走査開始側と走査終了側で光軸をＸ軸、主走査面内において光軸と直交する方向をＹ軸、副走査面内で光軸と直交する方向をＺ軸とし、以下の連続関数で表せる。
【００５１】
【数５】
2016151590.tif 000008
【００５２】
【数６】
2016151590.tif 000009
【００５３】
【数７】
2016151590.tif 000010
【００５４】
【数８】
2016151590.tif 000011
【００５５】
但し、r’は副走査方向曲率半径、D4、D6、D8、D10は係数で、サフィックスのs、とeは走査開始側と走査終了側をそれぞれ表す。
【００５６】
（スクリーンパターン））
次に、感光体ドラムが複数搭載されている画像形成装置（カラー機）におけるスクリーンパターンについて述べる。レーザープリンターでは、シアン、マゼンタ、イエロー、ブラック以外の色や濃度を実現するために、紙面上で異なる角度（回転角度）や線数をもったスクリーンパターン（ラインパターン）を重ね合わせて上記以外の色を表現している。
【００５７】
ここで、本実施形態では、ラインパターン（ラインスクリーンパターン）を用いている。ラインスクリーンパターンとは、図３中の符号３０１のように周期的に連続的な露光部が任意の角度に直線状に並んでいるスクリーンのことを指す。
【００５８】
次に、スクリーン平面と、スクリーンパターンの角度と線数、についての定義を説明する。スクリーン平面においては、図４に示すように、レーザービームが主走査方向に走査する方向を主走査方向（Ｈ）、感光体ドラムが４０１ａ−４０１ｂの回転軸を中心に回転する方向を副走査方向（Ｖ）として平面（スクリーン平面：Ｈ−Ｖ平面）を定義する。
【００５９】
また、スクリーンパターンの角度θはＨ−Ｖ平面上で周期の配列方向と等しく、図３中符号３０１のスクリーンパターンに対する回転角度は符号３０２が示している。例えば符号３０１のラインスクリーンは、３０度傾斜した３０２の軸に直交しており、３０度のスクリーンパターンを表す。
【００６０】
また、スクリーンパターンの線数は、スクリーンパターンが周期的に配列される方向に、その周期が１インチの中に何本含まれているかを表し、１５０〜３００ＬＰＩ（ Line Per Inch ）が好ましい。
【００６１】
なお、スクリーンパターンにおいては、各ステーションでのスクリーンパターン画像を重ね合わせた時に、周期パターンの重ねあわせによるモアレパターンを抑制するために異なる角度及び線数のものが用いられる。
【００６２】
次に、感光体ドラム面上での露光前後でのスクリーンについて記述する。図５中《５Ａ》のスクリーンにおいて、黒部５０１ａと白部５０１ｂは感光体ドラム面上でのそれぞれの露光部と非露光部を表している。レーザービームは、例えば図４であれば、符号４０１ａから符号４０１ｂの方向に走査しながら、露光部である図５中の５０１ａの部分のみ露光する。
【００６３】
そして、走査端部にレーザービームが到達した際に、感光体ドラムがＶの方向に１ピクセル相当分（Ｖ方向の点線の一間隔）変位し、再度５０１ａから５０１ｂまでレーザービームが走査することで、感光体ドラムが露光される。ここで、上述した通り、露光部のみの電位が理想的には低下し、露光部と非露光部のコントラストが感光体ドラム面上で形成され潜像となる。
【００６４】
しかしながら、有限な大きさをもったレーザービームがドラム面上を走査するために、図５の《５Ｂ》のように本来の露光部５０１ａよりも露光部分が広がってしまうことが分かっている（露光拡大部５０２ｂ）。この露光拡大部５０２ｂは、本来の露光部５０１ａに対して理想的に電位が低下している領域ではないために、露光拡大部５０２ｂでの潜像コントラストは理想よりも低下する。
【００６５】
（スポット形状）
そこで、任意の方向に傾いたスクリーンパターンで画像形成を行なう際に、上記潜像コントラストの低下を抑え、かつ公差に鈍感で設計難易度の低いスポット形状について説明する。図６の《６Ａ》に示す６０１はＨ−Ｖ平面上で１３５°傾いたスクリーンパターンであり、図６の《６Ｃ》はスクリーンパターン６０１に適したスポット形状の一例である。スポット形状は略楕円形状（もしくは略長方形形状）であり、短軸（短辺）の回転角度がスクリーンパターンの回転角度１３５°に略等しい。
【００６６】
（スポット回転角度）
図６の《６Ａ》に示すスクリーンパターン６０１に対し、図６の《６Ｃ》に示すスポット形状を用いると画質が最良となる理由を、以下に述べる。図６の《６Ｂ》は、横軸がスポットの回転角度、縦軸が印刷画質を数値化した指標である印字画質指標を示す。この印字画質指標とは、画像全体のピクセル内に含まれる露光拡大部のピクセルの割合に略等しく、値が高ければ印字画質は低く、低ければ印字画質は高いことを示している。
【００６７】
図６の《６Ｂ》の実線６０２は、図６の《６Ｃ》に示す長軸が８０μｍ、短軸が４０μｍの楕円形状のスポットをＨ−Ｖ平面上で任意の角度回転させたときの印字画質指標を示す。また、《６Ｂ》の点線６０３は、《６Ｃ》に示す楕円形状のスポットと同面積の円形状（真円）のスポットをＨ−Ｖ平面上で任意の角度回転させたときの印字画質指標を示す。
【００６８】
図６の《６Ｂ》のグラフから、印字画質指標が一番低く印字画質が一番高いスポットの回転角度は、楕円スポットの短軸の回転角度とスクリーンパターンの回転角度とが一致する１３５度であることが分かる。これは、図６の《６ｄ》のように、楕円スポットの一番絞られている領域で露光することで、露光拡大部６０５の面積が最小になり印字画質指標が一番低くなるからである。
【００６９】
一方、楕円スポットの短軸の回転角度とスクリーンパターンの回転角度が略同一である場合と比較して、楕円スポットの長軸の回転角度とスクリーンパターンの回転角度が同一である場合は印字画質指標が一番高くなり、印字画質は一番低くなる。図６の《６Ｂ》のグラフでは、回転角度が４５°の場合に対応している。これは、図６の《６ｅ》のように、楕円スポットの一番絞られていない領域で露光することで、露光拡大部６０５の面積が最大になり印字画質指標が一番高くなるからである。
【００７０】
従って、印字画質を向上させるためには、Ｈ−Ｖ平面上でスクリーンパターンの回転角度方向にスポットを絞れば良いことが分かる。
【００７１】
なお、評価したい方向のスポット径については、Ｈ−Ｖ平面上でのスポットの光量分布において、評価したい方向に垂直な方向に光量を積算したときの積算値の１３．５％の値に相当する径を用いる。
【００７２】
次に、スポットの回転における許容回転角度について述べる。我々の研究では、この例（スクリーンパターンの回転角度が１３５度）において、印字画質指標の差が０．０３５以内であれば、印刷物を目視したときの差は殆ど無いことが分かった。従って、図６の《６Ｃ》に示す長軸が８０μｍ、短軸が４０μｍのスポットにおいては、印字画質指標差０．０３５に対応する回転角度の誤差として２５度以内（±２５度）が許容できるスポットの許容回転角度と言える。
【００７３】
しかし、印字画質指標値は長軸と短軸のスポット径によって異なるため、印字画質指標値が０．０３５以内に収まるスポットの許容回転角度は、スポットによって異なる。これらを踏まえると、理想的な回転角度を含む許容回転角度範囲は±２５度と考えられ、更に長軸と短軸の比率が大きいスポットを考慮すると、より好ましくは理想的な回転角度を含む許容回転角度範囲は±１０度と考えられる。
【００７４】
（開口形状）
次に、具体的に略楕円及び略長方形のスポットを感光体ドラムで形成するための、入射光学系内の絞り開口２（図２）の開口形状について説明する。ここで、短軸（短辺）が１３５度方向に傾いたスクリーンパターンに対して、略楕円形状（略長方形形状）のスポットの長軸（長辺）と短軸（短辺）の比率を２：１として考える。
【００７５】
この場合、絞り開口２（図２）の開口形状を略楕円形状（略長方形形状）にし、開口の長軸（長辺）と短軸（短辺）の比率を、スポットの比率とは逆の比率である１：２にすれば良い。開口形状の長軸（長辺）は感光体ドラム面上でのスポットの短軸（短辺）に対応し、開口形状の短軸（短辺）は感光体ドラム面上でのスポットの長軸（長辺）に対応する。
【００７６】
（結像倍率（光学倍率））
ここで、光走査装置内の結像光学系の結像倍率（光学倍率）が主走査方向と副走査方向で略等倍であれば、開口形状の長短軸（辺）の比と、感光体ドラム面上でのスポットの長短軸（辺）の比とを同一にすることができ、開口の加工上好都合である。これについて、以下にその理由を述べる。
【００７７】
図７は、主副の光学系の結像倍率比β主／β副（主走査：β主、副走査：β副）が等倍から外れたときの、所望のスポットに対する入射瞳形状を示している。ここで、所望のスポットとは、図７中でのＨ−Ｖ平面上で３５°傾き、長軸と短軸のスポット径の比率が３：２の楕円のスポットを指す。
【００７８】
また、図７におけるスポットの中の数字は、主走査・副走査方向でのスポット径を示している。図７では、Ｈ−Ｖ平面中での結像倍率の模式図も表わしており、主副の結像倍率比が等倍から非等倍に変わる（ＴｙｐｅＡからＴｙｐｅＢ、ＴｙｐｅＣへ変わる）。そして、任意の角度方向αでの結像倍率は変化し、その軌跡は円形から楕円に変化する。
【００７９】
次に、所望のスポットを実現するために開口形状を考えるが、その前段階として開口を通過した直後のスポット形状（ここでは入射瞳と称する）を考慮する。この場合、任意の角度方向αでの入射瞳の径は以下の式で表現することができる。
P（α）＝σ（α）/β（α）……(e)
但し、αは任意の角度を表し、P（α）、σ（α）、β（α）はそれぞれ任意の角度での入射瞳径、スポット径、光学系の結像倍率を表している。入射瞳の図中の数字は、代表的に主走査方向と副走査方向での入射瞳の径を表し、上記の式より算出した。等倍から非等倍に結像倍率が変化するにつれて、主走査方向の倍率が副走査方向の結像倍率に対して大きくなるので、主走査方向の入射瞳の径が絞られる形状となる。この際、元の感光体ドラム面上のスポットと比較して、入射瞳形状はひしゃげた形状に変わる。
【００８０】
また、図７は任意の角度における入射瞳の径を、スポット径と結像倍率（光学倍率）と共に表したものである。このように、ひしゃげた形の入射瞳に対する開口形状も同様にひしゃげてしまい、開口の加工上の難易度が高くなる問題があり、主走査方向と副走査方向の結像倍率比が非等倍の条件は好適とは言えない。従って、楕円形状のスポットを結像させる場合、結像光学系の主走査方向と副走査方向の結像倍率が略等倍であれば、ひしゃげない形であるために開口の加工上の難易度が下がり好都合となる。
【００８１】
次に、結像倍率の範囲について述べる。全系の結像光学系の主走査方向と副走査方向の結像倍率の比が０．８〜１．２の範囲であることが好ましい。
【００８２】
即ち、第１、第２の結像光学系において、主走査方向の結像倍率をβ１、γ１、副走査の結像倍率をβ２、γ２とするとき、
０．８  ≦（β１／β２）  ≦  １．２
０．８  ≦（γ１／γ２）  ≦  １．２
を満たすことが好ましい。
【００８３】
この範囲においては、おおよそ入射瞳がひしゃげない結像倍率比になることが分かった。
【００８４】
以下に、その詳細を説明する。図８は、感光体ドラム面上でのスポットと、本発明者独自の指標である楕円率ごとの入射瞳形状を示しており、《８ａ》はスポットが長軸６０μｍ、短軸４０μｍ、《８ｂ》は長軸８０μｍ、短軸４０μｍの図である。また、ここでの楕円率εとは、以下の式で表現される。
【００８５】
【数９】
2016151590.tif 000012
この式は、分子がスポットの面積、分母が入射瞳の面積を表しており、ここでの楕円率はスポットの面積に対して入射瞳がどの程度同面積であるかを示したものである。楕円率εが１から離れるにつれてスポット形状から入射瞳の形状が崩れていく様子を図８に示し、それぞれスポット形状と楕円率ごとの入射瞳の形状を示している。
【００８６】
これらのことから、楕円率εが１から離れていくにつれて、入射瞳形状がスポット形状に対し崩れていくことが分かる。特に、スポットの長軸と短軸比が１．１１〜２．０の間である場合、楕円率が０．８５以上であれば少なくとも入射瞳の形状がひしゃげないことが分かった。
【００８７】
次に、好適な結像光学系の結像倍率（光学倍率）の導出に関し、図９を用いて説明する。図９は、横軸がスポットの回転角度で、縦軸が上述した楕円率ε＝０．８５での結像倍率比を、スポットの長軸と短軸の比率ごとに表したグラフである。このグラフが示していることは、以下の２点である。
【００８８】
１つ目は、スポットの回転角度αが０度から４５度の間は、全系の結像光学系の主走査と副走査の比率が１．２以上で入射瞳がひしゃげることである。一方、４５度から９０度の間は、全系の結像光学系の主走査と副走査の結像倍率の比率が１．２以上を許容することを表している。
【００８９】
２つ目は、感光体ドラム面上でのスポットの長軸と短軸の比率が高いほど、０から４５°までの許容できる光学倍率は低く、４５度から９０度までは許容できる光学倍率が高いことである。従って、スクリーン角度が４５度以下の場合は、負の回転方向も考慮して結像光学系の結像倍率の比率は０．８〜１．１の範囲が好ましく、スクリーン角度が４５度から９０度の場合は、結像光学系の結像倍率の比率は０．９〜１．２の範囲が好ましい。
【００９０】
ここで、各ステーションで同一の光学系を使用することを考慮すると、全系の結像光学系の結像倍率の比率は０．９〜１．１の範囲が好ましいといえる。また、略楕円形状のスポットである場合、長軸と短軸の比率が１．５倍付近であれば、様々な角度のスクリーンを考慮して汎用性が高いといえる。
【００９１】
（スクリーンパターンに対する最良なスポット形状および開口形状）
これらを踏まえて、任意のスクリーンパターンに対する最良なスポット形状とそれに対応する開口形状について述べる。タンデムタイプのカラー画像形成装置においては、上述した通り、各ステーションにおいて異なる角度のスクリーンパターンを重ね合わせて印刷物を出力する。従って、各ステーションで使用されるスクリーンパターンに対応して、略楕円形状（略長方形形状）の開口を回転させると印字画質が向上する。
【００９２】
図１０は、Ｈ−Ｖ平面においてイエローステーション（Ｙｓｔ）、マゼンタステーション（Ｍｓｔ）、シアンステーション（Ｃｓｔ）、ブラックステーション（Ｂｋｓｔ）のスクリーンパターンとスポット形状及び開口形状を示す。また、図１０には、スクリーンの角度と線数、スポットの長軸、短軸の長さ及び角度、主副での開口幅と角度について示している。
【００９３】
図１０では、スポットは略楕円形状（長軸が６０μｍ、短軸が４０μｍ）とし、スポットの短軸がスクリーンパターンの傾き方向（長手方向）に直交する方向（パターン周期方向）に重なる形状である。Ｙ、Ｍ、Ｃ、Ｋそれぞれの感光体ドラム面上でのスポットの回転角度はＨ−Ｖ平面上でそれぞれ０度、３０度、７０度、４０度であり、スポットの回転角度は±１０°を許容する。
【００９４】
上述した通り、全系の結像光学系の主走査方向と副走査方向の結像倍率の比率は０．９〜１．１が好適であり、本実施形態では１．０５倍を採用している。開口は長方形形状もしくは略長方形形状であって、開口の長辺の角度がＹ、Ｍ、Ｃ、Ｋで０度、３０度、７０度、４０度（許容回転角度範囲が±１０°）である。
【００９５】
このように、スクリーンパターンの傾き方向に応じて開口形状を回転させるだけで、図６に示したように、そのスクリーンパターンでの最良な画質を提供することができる。言い換えれば、スクリーンパターンの周期配列方向（パターン周期方向）にのみスポット径を絞れば良いだけなので、その直交方向は太ったスポットでも許容することができる。従って、従来のように全方位に絞る必要はない。
【００９６】
図１１に示すのは、４０μｍと６０μｍの真円のスポットがピントずれを起こした際のスポット径の変化である。画質指標値は、スポット径が増大すると劣化することが分かっている。例えば、３ｍｍピントずれを起こしたとすると、４０μｍでは７８μｍ、６０μｍでは６３μｍにスポットが肥大する。
【００９７】
これらの肥大したスポットでの画質指標値は図６のグラフから考えると、７８μｍのスポットは回転角度４５°に相当し、画質指標値にして０．５９である。一方、６３μｍのスポット回転角度１０５°に相当し、画質指標値にして０．５である。つまり、画質指標値に０．１差があり実物で画質の差を視認できてしまう。
【００９８】
従って、スクリーンの周期配列方向（パターン周期方向）にのみスポットを絞ることは、ピントずれに対して非常に有利であり、安価に実現できる方法である。本実施形態では、スポット形状が長軸６０μｍ、短軸４０μｍの楕円もしくは略楕円での例を示したが、長軸と短軸の長さの組合せはこの例に限定せず、スポット形状は長方形もしくは略長方形でも良く、長辺と短辺の長さの組合せもこの例に限定されない。
【００９９】
また、感光体ドラム面上でのスポットの回転角度は全ステーションで異ならなくても良く、少なくとも一つのステーションにおいて他のステーションと感光体ドラム面上でのスポットの回転角度が異なっていれば良い。また、ステーションは４つと限定されず、ステーションが単数及び複数（４つを除く）ある場合であっても良い。
【０１００】
《第２の実施形態》
以下、本発明の第２の実施形態に係る光走査装置について説明する。第１の実施形態では、ステーションごとで異なるスクリーンパターンの回転角度に応じて感光体ドラム面上でのスポット形状を変化させる（スポットを回転させる）ことで、印字画質を向上させることを示した。これに対し、本実施形態では、ステーションごとでスクリーンパターンの角度（回転角度）は同一でスクリーンパターンの線数が異なる。本実施形態では、スクリーンパターンの線数に応じて、スポット形状を変化させて、印字画質を向上させる。
【０１０１】
なお、第１の実施形態と同じ部材の構成、作用については、第１の実施形態と同様であり、説明を割愛する。
【０１０２】
一般に、印字画質が劣化する原因として、露光拡大部のピクセル数の他、露光拡大部での電圧の低下量も影響する。露光拡大部での電圧の低下量が、露光前の帯電時から露光されて電圧が低下し切ったときの電圧の低下量の１／２辺りのとき、印字画質が劣化することが分かっている。
【０１０３】
線数が多いスクリーンパターンの場合、隣接するドットの間隔が短いことによる露光拡大部での電圧の低下による印字画質の劣化の影響が大きく、線数が少ないスクリーンパターンの場合と同じスポット形状を用いると問題となる。
【０１０４】
図１２は、スポットの大きさ（スポット径）ごとに線数に対する印字画質指標の値をプロットしたものである。同じスポット径でみても、スクリーンパターンの線数によって印字画質指標の値が異なることが分かる。また、このグラフは、低線数のスクリーンにおいては、高線数のスクリーンを用いたときのスポットよりも過剰に絞る必要は無いことも示している。
【０１０５】
図１２で、例えば印字画質指標が０．５を満たす線数とスポット径の組合せは、Ｙ（２１２ＬＰＩ、２０μｍ）、Ｍ（１８９ＬＰＩ、３０μｍ）、Ｃ（１６６ＬＰＩ、４０μｍ）、Ｋ（１５０ＬＰＩ、６０μｍ）となる。このような低線数のスクリーンパターン（例えばＫ）での印刷印字画質と、高線数のスクリーンパターン（例えばＹ）での印刷印字画質を同等にするためには、スクリーンパターンの線数に応じてスポット径を変えなければならないことが分かる。
【０１０６】
しかしながら、スポット径が２０μｍのように小さい場合、スポットを感光体ドラム面上で結像させようとすると、スポットの深度幅が非常に狭くなり、光走査装置内の光学系が多少の製造誤差を生じた際に小スポットは実現できなくなる。高画質と呼ばれる従来製品のスポット径は約５０μｍである。そこで、本実施形態では、一番高線数のステーションで５０μｍになる印字画質指標値を基準とし、この値に対する各線数でのスポット径を決定した。
【０１０７】
以下に、スクリーンパターンの線数に応じた感光体ドラム面上でのスポットの大小について述べる。図１３に、スクリーンパターンの線数、感光体ドラム面上でのスポットの大きさ、そのスポットを実現するための開口形状を示している。
【０１０８】
ここで、Ｙ、Ｍ、Ｃ、Ｋのスクリーンパターンの回転角度は、Ｈ−Ｖ平面内でそれぞれ０度とする。また、Ｙ、Ｍ、Ｃ、Ｋのスクリーンパターンの線数は、それぞれ２１２ＬＰＩ、１８９ＬＰＩ、１６６ＬＰＩ、１５０ＬＰＩであり、そのときのスポットの形状はどれも略円形形状（略真円形状）とする。
【０１０９】
イエローステーションＹｓｔと他の各ステーションが同等印字画質になる条件（図１２で縦軸の位置を一定とする条件）を考慮するとき、上述したように全てのステーションでスポットを絞る必要がない。具体的には、図１３に示すように、高線数から低線数まで４ステーション分で４５μｍ〜８０μｍの間がとり得るスポットの大きさの範囲となる。従って、少なくとも低線数のスクリーンパターンを用いているステーションでは、スポットの大きさが大きくて良く、製造誤差による感光体ドラム面上でのスポットの崩れを緩和でき、かつ良好な画質を保つことができる。
【０１１０】
図２における絞り開口２の開口形状は、感光体ドラム面上でのスポット形状と逆の関係（即ち、感光体ドラム面上でのスポットが大きい場合は小円に、スポットが小さい場合は大円）となる。このように、スクリーンパターンの線数に応じてスポット径の大きさを適宜変化させることで、全ステーションでスポット径を絞る必要はなくピントずれに対して鈍感な系をもった光走査装置の実現が可能となる。即ち、感光体ドラム面上でのスポットの大きさは全ステーションで異ならなくても良く、少なくとも一つのステーションにおいて他のステーションと感光体ドラム面上でのスポットの大きさが異なっていれば良い。
【０１１１】
《第３の実施形態》
次に、本発明の第３の実施形態を示す。本実施形態では、スクリーンパターンの角度（回転角度）と線数に応じて感光体ドラム面上でのスポット形状を変化させることで、印字画質を向上させる。即ち、本実施形態では、図１４に示すように、スクリーンパターンの角度（回転角度）と線数が各ステーションで異なる。
【０１１２】
本実施形態において、スクリーンパターンの角度（回転角度）については第１の実施形態と同様とし、線数については第２の実施形態と同様のものとしている。感光体ドラム面上でのスポット形状としては、略楕円形状もしくは略長方形形状である。そして、長軸（長辺）と短軸（短辺）の長さの比率は３：２であり、スポットの短軸がスクリーンパターンの長手方向に直交する方向（パターン周期方向）に重なる形状である。
【０１１３】
更に、スクリーンパターンの線数に応じて、スポットの短軸の長さは異なっており、スクリーンパターンの線数が少ない程、スポットの短軸の長さは長い。線数とスポットの短軸の長さの組合せは、Ｙ（２１２ＬＰＩ、４８μｍ）、Ｍ（１８９ＬＰＩ、６０μｍ）、Ｃ（１６６ＬＰＩ、６５μｍ）、Ｋ（１５０ＬＰＩ、８０μｍ）である。一方、スポットの長軸の長さは、上述したように各ステーションでの短軸の長さの１．５倍に太らせている。即ち、Ｙ（７２μｍ）、Ｍ（９０μｍ）、Ｃ（９８μｍ）、Ｋ（１２０μｍ）としている。
【０１１４】
そして、これらのスポットを実現するために、入射光学系における絞り開口２の開口形状における長軸、短軸の長さ（ｍｍ×ｍｍ）を、図１４の寸法にするのが良い。即ち、Ｙ（２．０８ｍｍ×１．４４ｍｍ）、Ｍ（１．７ｍｍ×１．１２ｍｍ）、Ｃ（１．６ｍｍ×０．９６５ｍｍ）、Ｋ（１．３ｍｍ×０．８２ｍｍ）とすれば良い。
【０１１５】
（変形例）
以上、本発明の好ましい実施形態について説明したが、本発明はこれらの実施形態に限定されず、その要旨の範囲内で種々の変形及び変更が可能である。
【０１１６】
（変形例１）
上述した実施形態では、４つの被走査面を備えたカラー画像形成装置を示したが、２つもしくは３つ、あるいは５つ以上の被走査面を備えたカラー画像形成装置であっても良い。また、本発明は単一（１つ）の被走査面を備えたブラックステーションを有するモノクロ画像形成装置に適用することも可能である。この場合、入射光学系の絞り開口は、スクリーンパターンに対応して定まる形状（傾き方向もしくは線数）を備える。
【０１１７】
そして、この場合、絞り開口により、スクリーンパターンの傾き方向が変更可能である場合、スポットの形状は、傾き方向を長軸方向もしくは長手方向とする楕円形状もしくは長方形形状となる。また、スクリーンパターンの線数が変更可能である場合、絞り開口により、スポットの形状は線数が少ない方が径が大きい近似的な円形状となる。
【０１１８】
また、スクリーンパターンの傾き方向および線数が変更可能である場合、絞り開口により、スポットの形状は線数が少ない方が径が大きい、傾き方向を長軸とする楕円形状となる。
【０１１９】
（変形例２）
上述した実施形態では、Ｙ、Ｍ、Ｃ、Ｋのスクリーンの線数及び角度が異なる例を示したが、本発明はこれに限られない。複数ステーションあるうち少なくとも一つのスポット形状（外形、角度）が他のステーションでのスポット形状（外形、角度）と異なっていれば良い。
【０１２０】
（変形例３）
上述した実施形態では、結像光学系（走査光学系）を２枚の結像走査レンズで構成したが、これに限らず１枚もしくは３枚以上で構成しても本実施形態と同様の効果を得ることができる。
【０１２１】
また、結像走査レンズ２０６、２０７を光透過性のパワーを有するプラスチックレンズで構成し、該結像走査レンズの軽量化を達成するとともに、非球面を用いることにより設計上の自由度を向上させることも可能である。なお、結像走査レンズはガラス製であっても良く、更に回折のパワーを有する光学素子であっても良い。ガラス材料や回折面で構成した場合は、環境特性に優れた光走査装置を提供することことが可能であり、走査光学系内に折り返しミラーを入れても良い。
【符号の説明】
【０１２２】
２、２ａ、２ｂ・・絞り開口、５・・回転多面鏡、Ｌ１ａ、Ｌｉｂ・・第１、第２の入射光学系、Ｍ１ａ、Ｍｉｂ・・第１、第２の結像光学系
【図１】
2016151590.tif 000013
【図２】
2016151590.tif 000014
【図３】
2016151590.tif 000015
【図４】
2016151590.tif 000016
【図５】
2016151590.tif 000017
【図６】
2016151590.tif 000018
【図７】
2016151590.tif 000019
【図８】
2016151590.tif 000020
【図９】
2016151590.tif 000021
【図１０】
2016151590.tif 000022
【図１１】
2016151590.tif 000023
【図１２】
2016151590.tif 000024
【図１３】
2016151590.tif 000025
【図１４】
2016151590.tif 000026
【図１５】
2016151590.tif 000027
【図１６】
2016151590.tif 000028